(57)【要約】  システムであって、着用式低温プラズマシステムを含み、この着用式低温プラズマシステムは、着用式低温プラズマアプリケータを含み、この着用式低温プラズマアプリケータは、着用式低温プラズマデバイスを着用したユーザの表面に結合して低温プラズマをこの表面に送り出すよう構成されていることを特徴とするシステム。【選択図】図１
2017522926.tif 000002
【特許請求の範囲】
【請求項１】
システムであって、
着用式低温プラズマシステムを含み、前記着用式低温プラズマシステムは、
着用式低温プラズマアプリケータを含み、前記着用式低温プラズマアプリケータは、前記着用式低温プラズマデバイスを着用したユーザの表面に結合して低温プラズマを前記表面に送り出すよう構成されている、システム。
【請求項２】
前記着用式低温プラズマアプリケータに結合されると共にガス供給プラズマを送り出すよう構成されたガス源を含む、請求項１記載のシステム。
【請求項３】
前記ガス源は、導管により前記着用式低温プラズマアプリケータに結合している、請求項２記載のシステム。
【請求項４】
前記着用式低温プラズマアプリケータは、前記表面の形状に合致する第１の軟質材料で作られた第１の層を有する、請求項１記載のシステム。
【請求項５】
前記第１の層は、少なくとも１つのプラズマ発生領域を有する、請求項４記載のシステム。
【請求項６】
前記着用式低温プラズマアプリケータは、導電性流体で満たされた第２の層を有する、請求項４記載のシステム。
【請求項７】
前記着用式低温プラズマアプリケータは、前記第１の層を前記ユーザの前記表面に向くよう構成された取り付け側から隔てる複数のスペーサを有する、請求項４記載のシステム。
【請求項８】
第１の層は、軟質誘電体バリヤ材料内に設けられた電極を有する、請求項４記載のシステム。
【請求項９】
前記着用式低温プラズマアプリケータにより低温プラズマを形成する電気信号を生じさせるよう構成されたコントローラを含む、請求項１記載のシステム。
【請求項１０】
システムであって、
着用式低温プラズマシステムを含み、前記着用式低温プラズマシステムは、
ユーザの取り付け可能な側に結合して低温プラズマを前記ユーザの取り付け可能な側に送り出すよう構成された着用式低温プラズマアプリケータと、
前記着用式低温プラズマアプリケータに結合されると共に前記低温プラズマを前記着用式低温プラズマアプリケータにより形成する電気信号を生じさせるよう構成されたコントローラとを含む、システム。
【請求項１１】
前記着用式低温プラズマアプリケータは、モジュール式の互換性プラズマ適用区分を有する、請求項１０記載のシステム。
【請求項１２】
前記着用式低温プラズマアプリケータは、前記サブストレートの形状に合致する第１の軟質材料で作られた第１の層を有する、請求項１０記載のシステム。
【請求項１３】
前記第１の層は、少なくとも１つの孔を有する、請求項１２記載のシステム。
【請求項１４】
前記第１の層は、前記少なくとも１つの孔の周りに設けられた電極を有し、前記電極は、前記少なくとも１つの孔を通過するガスにより前記低温プラズマを発生させるよう構成されている、請求項１２記載のシステム。
【請求項１５】
前記第１の層に結合された多孔性フォームを含む、請求項１２記載のシステム。
【請求項１６】
前記着用式低温プラズマアプリケータに結合されると共にガスを送り出すよう構成されているガス源を含む、請求項１０記載のシステム。
【請求項１７】
前記ガス源は、導管により前記着用式低温プラズマアプリケータに結合し、前記導管は、前記導管を通過する前記ガスにより低温プラズマを発生するよう構成された電極を有する、請求項１６記載のシステム。
【請求項１８】
前記着用式低温プラズマアプリケータは、第１の部分及び第２の部分を有し、前記第１の部分及び前記第２の部分は、サブストレートを円周方向に包囲するよう構成されている、請求項１０記載のシステム。
【請求項１９】
方法であって、
コントローラにより電気信号を生じさせるステップと、
前記電気信号を用いて、表面に結合するよう構成されている着用式低温プラズマアプリケータにより低温プラズマを発生させるステップとを含む、方法。
【請求項２０】
ガスをガス源から前記着用式低温プラズマアプリケータに圧送するステップを含む、請求項１９記載の方法。
【発明の詳細な説明】
【背景技術】
【０００１】
本項目は、以下に説明すると共に／或いはクレーム請求する本発明の種々の観点に関連している場合のある当該技術分野の種々の観点を読者に紹介することを目的としている。この説明は、本発明の種々の観点の良好な理解を容易にするために読者に背景技術情報を提供する上で有用であると考えられる。したがって、これらの記述は、この観点で読まれるべきであり、先行技術のいわゆる承認として読まれてはならないことは理解されるべきである。
【０００２】
最新の医学では、医師は、患者の多種多様な創部及び感染部を治療することができる。例えば、医師は、局所投薬（例えば、クリーム、フォーム、ゲル、軟膏、包帯等）及び／又は内服（例えば、経口、静脈内投与の薬物）を用いてこれら創部及び感染部を治療することができる。残念ながら、既存の治療は、或る特定の創部及び感染部を治療する上でコスト高であり、効果的ではなく、且つ／或いは遅い場合がある。
【発明の概要】
【０００３】
本発明によれば、システムであって、着用式低温プラズマシステムを含み、着用式低温プラズマシステムは、着用式低温プラズマアプリケータを含み、着用式低温プラズマアプリケータは、着用式低温プラズマアプリケータを着用したユーザの表面に結合して低温プラズマを表面に送り出すよう構成されていることを特徴とするシステムが提供される。
【０００４】
また、本発明によれば、システムであって、着用式低温プラズマシステムを含み、着用式低温プラズマシステムは、ユーザの取り付け可能な側に結合して低温プラズマをユーザの取り付け可能な側に送り出すよう構成された着用式低温プラズマアプリケータと、着用式低温プラズマアプリケータに結合されると共に低温プラズマを着用式低温プラズマアプリケータにより形成する電気信号を生じさせるよう構成されたコントローラとを含むことを特徴とするシステムが提供される。
【０００５】
さらに、本発明によれば、方法であって、コントローラにより電気信号を生じさせるステップと、電気信号を用いて、表面に結合するよう構成されている着用式低温プラズマアプリケータにより低温プラズマを発生させるステップとを含むことを特徴とする方法が提供される。
【０００６】
本発明の種々の特徴、観点及び利点は、添付の図を参照して以下の詳細な説明を読むと、良好に理解されよう。なお、図全体にわたって同一の符号は、同一の部分を示している。
【図面の簡単な説明】
【０００７】
【図１】患者に結合された着用式低温プラズマシステムの実施形態の正面図である。
【図２】腕及び着用式低温プラズマアプリケータの実施形態の斜視図である。
【図３】着用式低温プラズマアプリケータの実施形態の斜視図である。
【図４】流体を利用した誘電体バリヤ放電（ＤＢＤ）を用いた着用式低温プラズマアプリケータの実施形態の断面側面図である。
【図５】カスケードＤＢＤを用いた着用式低温プラズマアプリケータの実施形態の断面側面図である。
【図６】スペーサを用いる着用式低温プラズマアプリケータの実施形態の断面側面図である。
【図７】図６に示されているカスケードＤＢＤの実施形態の平面図である。
【図８】図６に示されているカスケードＤＢＤの実施形態の平面図である。
【図９】カスケードＤＢＤを用いる着用式低温プラズマアプリケータの実施形態の斜視図である。
【図１０】ガス源に結合された着用式低温プラズマアプリケータの実施形態の断面側面図である。
【図１１】図１０の１１‐１１線に沿って取った導管又は着用式低温プラズマアプリケータ内の電極の実施形態の断面図である。
【図１２】図１０の１１‐１１線に沿って取った導管又は着用式低温プラズマアプリケータ内の電極の実施形態の断面図である。
【図１３】着用式低温プラズマアプリケータの実施形態の断面側面図である。
【図１４】多孔性材料を用いた着用式低温プラズマアプリケータの実施形態の断面側面図である。
【図１５】スペーサを用いた着用式低温プラズマアプリケータの実施形態の斜視図である。
【図１６】図１５の着用式低温プラズマアプリケータに用いられる膨張（インフレート）可能なカフの実施形態の斜視図である。
【図１７】着用式低温プラズマアプリケータの実施形態の側面図である。
【図１８】着用式低温プラズマアプリケータの実施形態の側面図である。
【図１９】低温プラズマシステムチャンバの実施形態の側面図である。
【図２０】図１の２０‐２０線に沿って取った着用式低温プラズマアプリケータの断面図である。
【発明を実施するための形態】
【０００８】
以下、本発明の１つ又は２つ以上の特定の実施形態について説明する。これら説明する実施形態は、本発明の例示であるに過ぎない。加うるに、これら例示の実施形態の簡潔な説明を提供しようとして、実際の具体化例の全ての特徴を明細書において説明していない場合がある。理解されるべきこととして、任意のエンジニアリング又はデザインプロジェクトの場合と同様の任意のかかる実際の具体化例の開発において、開発者の特定の目的、例えば１つの具体化例と別の具体化例とでは異なる場合のあるシステム関連及びビジネス関連制約とのコンプライアンスを達成するために多くの具体化例に特有の決定がなされなければならない。さらに、理解されるべきこととして、かかる開発努力は、複雑であり且つ時間がかかるが、それにもかかわらず、本発明の利益を享受する当業者にとって設計、製作、及び製造の日常的に行われる業務である。
【０００９】
開示する実施形態は、外傷、感染部、ガン及び他の病態（例えば、全身性エリテマトーデス、皮膚エリテマトーデス、皮膚硬化症、乾癬、皮膚筋炎、皮膚炎、急性傷害、慢性傷害、慢性関節痛と関連した筋骨格系疾患若しくは障害又は自己免疫性若しくは炎症性疾患若しくは障害）を治療するために非熱的プラズマを形成することができる着用式低温プラズマシステムを含む。治療を容易にするため、着用式低温プラズマシステムは、配置を助けると共に関心のある領域（例えば、治療部位）に治療を集中させる着用式アプリケータの状態に形成されるのが良い。幾つかの実施形態では、着用式低温プラズマシステムは、創部／感染部位（例えば、腕、脚、胸部、手、頸部等）の形状に適合することができ、それにより、より効果的な治療を可能にする。例えば、着用式低温プラズマシステムは、手袋、スリーブ、パッチ、包帯、ブーツ、ソックス、パンツ、シャツ、ヘッドバンド、フード等の状態に形成できる。したがって、着用式低温プラズマシステムは、創部又は感染部位全体の狙いが付けられると共に一様な治療を実施可能にすることができる。
【００１０】
図１は、着用式低温プラズマシステム１２を着用した患者１０の実施形態の正面図である。着用式低温プラズマシステム１２は、着用式低温プラズマアプリケータ１４、コントローラ１６、及びガス源１８を含むのが良い。図示のように、着用式低温プラズマアプリケータ１４は、治療のための患者１０への容易な取り付けを可能にする着用可能なモジュール（例えば、衣類）、例えばスリーブ、パッチ（例えば、医療用パッチ、包帯、シート等）、ブーツ、手袋等の状態に形成できる。作用を説明すると、着用式低温プラズマアプリケータ１４は、ガス源１８から低温プラズマを受け取ることができ又は着用式低温プラズマシステム１２が患者１０の皮膚の直ぐそばに位置する大気と共に低温プラズマを形成することができるようにする。例えば、ガス源１８からのガスを用いる実施形態では、コントローラ１６は、ガス源１８が着用式低温プラズマアプリケータ１４によって用いられる低温プラズマを生じさせることができるようにする電気信号を送る。別の実施形態では、着用式低温プラズマアプリケータ１４は、着用式低温プラズマアプリケータ１４が患者の皮膚の直ぐそばに位置する大気中ガスから又はガス源１８からのガスと共に低温プラズマを生じさせることができるようにする電気信号を受け取ることができる。
【００１１】
コントローラ１６は、プロセッサ２０を用いてメモリ２２内に記憶された命令を実行してガス源１８からのガスの流れを開始させると共に低温プラズマ発生電気信号を生じさせると共に制御する（例えば、電力、振幅、１つ又は複数の周波数、パルスタイミング等を変化させる）。幾つかの実施形態では、電気信号は、多周波数の高調波に富んだ信号（例えば、ＤＣと４００ＭＨｚとの間の１００，０００〜２，０００，０００個以上の高調波成分を生じさせるようオーバーラップした多数の周波数で多数のＡ／Ｃ波を有する１〜３０ｋＶの出力電圧で１００Ｈｚと７００Ｈｚの間でパルス化されるタイミングが取られたパルス電気信号）であるのが良い。多周波数の高調波に富んだ電気信号がガス（例えば、ガス源１８のガス又は大気中のガス）を通過しているときに、ガス分子／原子が電子を失ったり獲得したりして陽イオン、陰イオン、及び電子と低温プラズマを生じさせる。多周波数の高調波に富んだ電気信号は、典型的なプラズマ生成よりもエネルギーを少なくした状態で分子／原子からの電子の除去を容易にすると考えられる。したがって、プラズマは、温度に敏感な標的となる基体又はサブストレート１２（例えば、生物学的組織）への暴露を可能にする低温プラズマ又はコールドプラズマ（例えば、温度が約６０〜１２０°Ｆ（１５．５６〜４８．８９℃）、６０〜８０°Ｆ（１５．５６〜２６．６７℃）、７０〜９０°Ｆ（２１．１１〜３２．２２℃）、８０〜１００°Ｆ（２６．６７〜３７．７８℃）、９０〜１１０°Ｆ（３２．２２〜４３．３３℃）、１００〜１２０°Ｆ（３７．７８〜４３．３３℃）の低温プラズマ）である。
【００１２】
図２は、腕４０及び着用式低温プラズマシステム１２の実施形態の斜視図である。上述したように、着用式低温プラズマシステム１２は、コントローラ１６及び着用式低温プラズマアプリケータ１４を含む。図示のように、着用式低温プラズマアプリケータ１４は、流体で満たされた柔軟性又は軟質の層４４に結合された柔軟性又は軟質の誘電体バリヤ層４２（例えば、シリコーン、ラテックス、連続気泡フォーム、ガーゼ、ヒドロゲル、ポリオキシメチレン、ポリアミド、ポリテトラフルオロエチレン（ＰＴＦＥ）、アセタールホモポリマー、ポリエチレン（ＰＥ）、ポリプロピレン（ＰＰ）、ポリ塩化ビニル（ＰＶＣ）、エチレンビニルアセテート（ＥＶＡ）、プロピレン、コポリエステルエーテル、及びポリオレフィンフィルム）を有する。幾つかの実施形態では、流体で満たされた層４４は、導電性材料４６（例えば、導電性粒子）が流体４８（例えば、気体及び又は液体）中に含まれている多相流体（例えば、固体／気体、固体／液体、気体／液体、固体／気体／液体）であるのが良い。導電性材料４６は、導電性非鉄材料（例えば、黄銅、銅、銀、アルミニウム、マグネシウム、白金、カーボン削り屑、又は溶解塩）又は非鉄材料の組み合わせであるのが良い。幾つかの実施形態では、導電性材料４６は、ランダムに形作られていても良く或いは一様に形作られていても良く、又、導電性材料は、螺旋の形状、球の形状、長方形の形状、細長い形状、湾曲した形状、波形の形状等を有することができる。流体４８は、貴ガス（例えば、ヘリウム、ネオン、アルゴン、クリプトン、キセノン、ラドン）又は貴ガスと大気中のガス（例えば、酸素、窒素）の組み合わせを含む作業ガス混合物であるのが良い。幾つかの実施形態では、流体４８は、液体（例えば、生理食塩水）であるのが良い。誘電体バリヤ層４２及び流体で満たされた層４４の柔軟性により、着用式低温プラズマアプリケータ１４は、種々の患者及び解剖学的部位に対する効果的な治療のために患者の体の形状並びに治療／創傷部位に合致することができる。例えば、創部／感染部は、平らでなくても良く（例えば、深い創部）或いは患者の体の平坦な部分上に位置していても良い。したがって、患者の体並びに治療／創傷部位に合致し又は同形となる着用式低温プラズマアプリケータ１４は、低温プラズマによる治療／創傷部位の治療（例えば、部位を横切る焦点が合わされた一様な治療）に有効であると言える。幾つかの実施形態では、着用式低温プラズマアプリケータ１４は、流体で満たされる層４４を充填する前に患者に取り付けられるのが良い（例えば、巻かれるのが良く、面ファスナー（マジックテープ（登録商標））を用いて取り付けられるのが良く、接着剤を用いて取り付けられるのが良い等）。取り付け後に流体で満たされる層４４を充填することによって、着用式低温プラズマアプリケータ１４は、誘電体バリヤ層４２と患者の体及び／又は治療／創傷部位との接触状態を向上させることができる。
【００１３】
作用を説明すると、コントローラ１６からの電気信号は、ケーブル５０（例えば、ＨＶ／ＲＦ供給ケーブル）を通って流体で満たされた柔軟性の層４４内の導電性の非鉄ワイヤ電極５２（例えば、タングステン）に伝わる。幾つかの実施形態では、１個以上の（例えば、１個、２個、３個、４個、５個、６個、７個、８個、９個、１０個又はそれ以上）導電性非鉄ワイヤ電極５２が設けられるのが良い。２本以上の導電性非鉄ワイヤ電極５２を用いた実施形態により、各電極５２は、異なる電気信号（例えば、信号が波の数、周波数、振幅について異なっているのが良い）又は同一の電気信号を伝えることができる。電気信号が流体で満たされた柔軟性の層４４に入ると、流体４８は、電気信号を流体で満たされた柔軟性の層４４から１つ又は２つ以上のプラズマ発生領域５４（例えば、誘電体バリヤ層４２が薄くなっている場所、かかる場所は、電荷が誘電体バリヤ層４２を通過することができるようにする）に伝える。電荷が誘電体バリヤ層４２と患者の皮膚との間の空隙５６を横切る前に電荷が蓄積するのは、これらプラズマ発生領域５４内である。十分な量の電荷がプラズマ発生領域５４内にいったん蓄積すると、多周波数の高調波に富んだ電気信号が空隙５６を横切って患者の皮膚（例えば、アース）に伝わり、低温プラズマを生じさせる。図示のように、プラズマ発生領域５４は、創傷部位５８を完全に包囲するよう寸法決めされている。したがって、使用中、着用式低温プラズマシステム１２は、創傷部位５８全体を治療することができる（例えば、病原菌を殺菌し、血液の凝固を向上させる）。
【００１４】
図３は、着用式低温プラズマシステム１４の実施形態の斜視図である。図示のように、着用式低温プラズマアプリケータ１４は、互いに異なるプラズマ発生領域５４を有するのが良い。上記において図２に示されているように、プラズマ発生領域５４は、治療部位５８を完全に包囲するよう寸法決めされているのが良い。例えば図３に示されている他の実施形態では、着用式低温プラズマ治療アプリケータ１４は、多数の治療部位５８の治療を可能にする多数のプラズマ発生領域５４を有するのが良い。これら実施形態では、着用式低温プラズマ発生アプリケータ１４は、互いに密接して位置する多くの（例えば、１０個、５０個、１００個、１０００個、１００００個又はそれ以上）プラズマ発生領域５４を有するのが良く、それにより、広い領域にわたるプラズマ治療が可能である。さらに、幾つかの実施形態では、着用式低温プラズマアプリケータ１４は、患者の体の互いに異なる領域を治療するために多種多様な寸法形状（例えば、円形、正方形、長方形、不定形）を備えたプラズマ治療領域５４を有するのが良い。例えば、着用式低温プラズマアプリケータ１４は、比例的に幅が狭くなるが、長い部位の治療のための大きなチャネルを形成するプラズマ発生領域５４を有するのが良い。したがって、着用式低温プラズマアプリケータ１４は、多数の部位及び多数の解剖学的特徴部（例えば、指、つま先、関節、足、脚、腕、胸部、頸部等）の治療を可能にする多数のプラズマ発生領域５４を有するのが良い。
【００１５】
図４は、図１〜図３の着用式低温プラズマシステムの実施形態の断面側面図である。上述したように、着用式低温プラズマアプリケータ１４は、流体で満たされた柔軟性の層４４に結合された柔軟性誘電体バリヤ層４２（例えば、シリコーン、ラテックス、連続気泡フォーム、ガーゼ、ヒドロゲル、ポリオキシメチレン、ポリアミド、ポリテトラフルオロエチレン（ＰＴＦＥ）、アセタールホモポリマー、ポリエチレン（ＰＥ）、ポリプロピレン（ＰＰ）、ポリ塩化ビニル（ＰＶＣ）、エチレンビニルアセテート（ＥＶＡ）、プロピレン、コポリエステルエーテル、及びポリオレフィンフィルム）を有する。幾つかの実施形態では、流体で満たされた層４４は、導電性材料４６が流体４８（例えば、気体及び又は液体）中に含まれている多相流体であるのが良い。誘電体バリヤ層４２及び流体で満たされた層４４の柔軟性により、着用式低温プラズマアプリケータ１４は、種々の患者及び解剖学的部位に対する効果的な治療のために患者の体の形状に合致することができる。
【００１６】
作用を説明すると、コントローラ１６からの電気信号は、ケーブル５０（例えば、ＨＶ／ＲＦ供給ケーブル）を通って流体で満たされた柔軟性の層４４内の導電性の非鉄ワイヤ電極５２（例えば、タングステン）に伝わる。電気信号が流体で満たされた柔軟性の層４４に入ると、流体４８は、電気信号を流体で満たされた柔軟性の層４４からプラズマ発生領域５４に伝える。図示のように、プラズマ発生領域５４は、厚さ７０を有し、誘電体バリヤ層４２の残部は、厚さ７０よりも厚い厚さ７２を有する。電荷が空隙５６を横切る前に堆積することができるのは、誘電体層バリヤ層４２が厚さ７０を有するこれらプラズマ発生領域５４内である。換言すると、誘電体バリヤ層４２は、プラズマ発生領域５４を通る電荷の動きを除き、電荷の動きを妨害する厚さ７２を有する。十分な量の電荷がプラズマ発生領域５４内にいったん蓄積すると、多周波数の高調波に富んだ電気信号が空隙５６を横切って患者の皮膚（例えば、アース）に伝わり、低温プラズマを生じさせる。
【００１７】
図５は、図１〜図３の着用式低温プラズマシステム１２の実施形態の断面側面図である。上述したように、着用式低温プラズマアプリケータ１４は、柔軟性誘電体バリヤ層４２（例えば、シリコーン、ラテックス、連続気泡フォーム、ガーゼ、ヒドロゲル、ポリオキシメチレン、ポリアミド、ポリテトラフルオロエチレン（ＰＴＦＥ）、アセタールホモポリマー、ポリエチレン（ＰＥ）、ポリプロピレン（ＰＰ）、ポリ塩化ビニル（ＰＶＣ）、エチレンビニルアセテート（ＥＶＡ）、プロピレン、コポリエステルエーテル、及びポリオレフィンフィルム）を有する。誘電体バリヤ層４２の柔軟性により、着用式低温プラズマアプリケータ１４は、種々の患者及び解剖学的部位に対する効果的な治療のために患者の体の形状に合致することができる。しかしながら、電気信号を伝える流体で満たされた柔軟性の層４４ではなく、図５の着用式低温プラズマアプリケータ１４は、誘電体バリヤ層４２内に埋め込まれたカスケード誘電体バリヤ放電（ＤＢＤ）システム８８を有する。カスケードＤＢＤシステム８８は、非鉄ワイヤ電極５２（例えば、タングステン）、電力が供給される電極９０、及び接地電極９２を含み、これら電極により、着用式低温プラズマアプリケータ１４が空隙５６中に低温プラズマを生じさせることができる。
【００１８】
作用を説明すると、コントローラ１６は、低温プラズマ発生信号を生じさせ、この低温プラズマ発生信号は、ケーブル５０（例えば、ＨＶ／ＲＦ供給ケーブル）及び非鉄ワイヤ電極５２（例えば、タングステン）を通って電力供給電極９０に伝わる。図示のように、電力供給電極９０は、誘電体バリヤ層４２の頂面９６から距離９４離れたところに位置し、それにより電荷が電極９０上に蓄積することができる。十分な量の電荷が電極９０上にいったん蓄積すると、多周波数の高調波に富んだ電気信号が空隙５６を横切って接地電極９２に伝わり、低温プラズマ９８を生じさせる。患者１０と着用式低温プラズマアプリケータ１４との間に十分な空隙５６を生じさせるようにするため、誘電体バリヤ層４２は、頂面に凹部１００を有するのが良い。凹部１００の深さ１０２は、低温プラズマ生成にとって十分な量の大気を提供し、それと同時に、低温プラズマ９８が治療のために患者に接触することができるようにする。凹部１００は、プラズマ発生領域５４と同様、患者の体の互いに異なる領域を治療するために多種多様な寸法形状（例えば、円形、正方形、長方形、不定形）を備えたプラズマ治療領域５４を有するのが良い。例えば、着用式低温プラズマアプリケータ１４は、比例的に幅が狭くなるが、長い創部の治療のための大きなチャネルを形成する凹部１００を有するのが良い。したがって、着用式低温プラズマアプリケータ１４は、多数の部位及び多数の解剖学的特徴（例えば、指、つま先、関節、足、脚、腕、胸部、頸部等）の治療を可能にする多数の凹部１００を有するのが良い。
【００１９】
図６は、図１の着用式低温プラズマシステム１２の実施形態の断面側面図である。上述したように、着用式低温プラズマアプリケータ１４は、柔軟性誘電体バリヤ層４２（例えば、シリコーン、ラテックス、連続気泡フォーム、ガーゼ、ヒドロゲル、ポリオキシメチレン、ポリアミド、ポリテトラフルオロエチレン（ＰＴＦＥ）、アセタールホモポリマー、ポリエチレン（ＰＥ）、ポリプロピレン（ＰＰ）、ポリ塩化ビニル（ＰＶＣ）、エチレンビニルアセテート（ＥＶＡ）、プロピレン、コポリエステルエーテル、及びポリオレフィンフィルム）を有する。誘電体バリヤ層４２の柔軟性により、着用式低温プラズマアプリケータ１４は、種々の患者及び解剖学的部位に対する効果的な治療のために患者の体の形状に合致することができる。図６の着用式低温プラズマアプリケータ１４は、誘電体バリヤ層４２内に埋め込まれたカスケード誘電体バリヤ放電（ＤＢＤ）システム８８を有する。カスケードＤＢＤシステム８８は、非鉄ワイヤ電極５２（例えば、タングステン）、電力供給電極９０、及び接地電極９２を含み、これら電極により、着用式低温プラズマアプリケータ１４が空隙５６中に低温プラズマを生じさせることができる。患者１０と着用式低温プラズマアプリケータ１４との間に十分な空隙５６を生じさせるようにするため、着用式低温プラズマアプリケータ１４は、スペーサ１２０を有するのが良い。スペーサ１２０は、フォームスペーサ、膨張（インフレート）可能なスペーサ、硬質スペーサ、又はこれらの組み合わせであるのが良い。スペーサ１２０は又、固定されたスペーサ及び／又は調節可能なスペーサであっても良い。例えば、システム１２は、空隙５６を調節するようアプリケータ１４に選択的に取り付けることができる複数の互いに異なるサイズのスペーサ１２０を含むのが良い。作用を説明すると、スペーサ１２０は、患者１０と誘電体バリヤ層４２との間に空隙５６を形成するのを助け、かかる空隙により、カスケードＤＢＤシステム８８は、大気を低温プラズマ９８に変換することができる。
【００２０】
図７及び図８は、図５又は図６のカスケードＤＢＤシステム８８の実施形態の平面図である。図示のように、カスケードＤＢＤシステム８８は、電極９０，９２について異なるレイアウトを有するのが良い。例えば、図７では、電極９０，９２は、誘電体バリヤ層４２の長さに沿って直線的である（例えば、互いに平行な電極）。図８では、電極９０，９２は、円形であるのが良い（例えば、同心円形電極）。しかしながら、他の実施形態では、電極は、異なるレイアウト（例えば、不定のレイアウト）を有しても良い。カスケードＤＢＤシステム８８における電極９０，９２のレイアウトは、互いに異なる解剖学的特徴部に合った互いに異なる着用式低温プラズマアプリケータ１４の配置を容易にすることができる。
【００２１】
図９は、カスケードＤＢＤシステム８８を用いた着用式低温プラズマアプリケータ１４の実施形態の斜視図である。図示のように、着用式低温プラズマアプリケータ１４は、患者の付属器（例えば、手、指、脚、腕、足、つま先、頭部、頸部、胸部、腰部等）を包囲することができるスリーブの形態をしているのが良い。着用式低温プラズマアプリケータ１４内にはカスケードＤＢＤシステム８８が埋め込まれており、このカスケードＤＢＤシステムは、患者の体の周囲全体に沿って低温プラズマ発生を可能にする。したがって、患者１０の一部分に巻き付くのではなく、着用式低温プラズマアプリケータ１４は、標的領域に被せた状態で着用され、次に、周囲全体に沿う低温プラズマにより治療を行うことができる。幾つかの実施形態では、着用式低温プラズマアプリケータ１４は、定期的な（例えば、１時間ごとに１０分間、４時間ごとに２０分間）低温プラズマ治療を可能にしながら治療部位を遮蔽するよう患者１０の上に残されるのが良い。
【００２２】
図１０は、外部ガス源１８を用いる着用式低温プラズマシステム１２の実施形態の断面側面図である。換言すると、着用式低温プラズマシステム１２は、患者の皮膚の近くの大気を用いて低温プラズマを生じさせるわけではない。これとは異なり、着用式低温プラズマシステム１２は、ガス源１８からの作業ガスを用いる。ガスは、特定の治療に理想的に適した特性を備える種々の低温プラズマ（例えば、迅速な創部治癒、血液凝固、感染部治療等を促進する作業ガス）を生じさせる特定のガス又はガスの混合物（例えば、ヘリウム、ネオン、アルゴン、クリプトン、キセノン、ラドン、酸素、窒素、又はこれらの組み合わせ）であるのが良い。図示のように、着用式低温プラズマアプリケータ１４は、導管１４０によりガス源１８に結合している。導管１４０は、着用式低温プラズマアプリケータ１４に別体として取り付け可能であっても良く、或いは、着用式低温プラズマアプリケータ１４の一部として一体に形成されても良い（例えば、着用式低温プラズマアプリケータ１４と同一の軟質材料で作られても良い）。別体として取り付け可能な導管１４０を用いる実施形態では、着用式低温プラズマアプリケータ１４は、導管１４０に結合する（例えば、摩擦嵌め、スナップ嵌め、ねじ結合、クイックリリースカップリング等）多数の孔１４４を有するのが良い。
【００２３】
図示のように、多数の孔１４４は、標的サブストレートのカスタマイズされた治療を可能にすることができる。例えば、治療部位が小さい場合、ユーザは、低温プラズマ治療のために僅かな本数の導管１４０しか結合しなくても良い。これとは対照的に、治療部位が広い場合、多数本の導管１４０が着用式低温プラズマアプリケータ１４に結合するのが良く、それにより広い領域のさらに効果的な治療が可能になる。幾つかの実施形態では、着用式低温プラズマアプリケータ１４は、空隙５６を生じさせるスペーサ１２０（例えば、フォームスペーサ、膨張可能なスペーサ、硬質スペーサ）を有するのが良い。スペーサ１２０は、抗菌性であっても良く、非粘着性であっても良く、滑らかであっても良く、軟質であっても良く、粘着性であっても良く、又はこれらの組み合わせであって良い。作用を説明すると、スペーサ１２０により形成された空隙５６は、標的サブストレート全体にわたる低温プラズマ伝搬を可能にし、それにより僅かな導管１４０で広い領域の治療が可能になる。スペーサ１２０は又、治療部位を定めるのを助けると共に低温プラズマが治療部位に集められるようにするため（例えば、治療を必要としない領域への低温プラズマの広がりを制止するため）に治療部位の周りに位置決めされても良い。
【００２４】
作用を説明すると、ガス源１８は、コントローラ１６からの電気信号を用いて低温プラズマを生じさせることができる。上述したように、電気信号は、多周波数の高調波に富んだ信号（例えば、ＤＣと４００ＭＨｚとの間の１００，０００〜２，０００，０００個以上の高調波成分を生じさせるようオーバーラップした多数の周波数で多数のＡ／Ｃ波を有する１〜３０ｋＶの出力電圧で１００Ｈｚと７００Ｈｚの間でパルス化されるタイミングが取られたパルス電気信号）であるのが良い。多周波数の高調波に富んだ電気信号がガスを通過しているときに、ガス分子／原子が電子を失ったり獲得したりして陽イオン、陰イオン、及び電子と低温プラズマを生じさせる。次に、低温プラズマを導管１４０に通して患者の治療のために空隙５６中に圧送するのが良い。幾つかの実施形態では、ガス源１８は、低温プラズマを生じさせるわけではなく、これとは異なり、低温プラズマを導管１４０内に生じさせることができる。換言すると、低温プラズマを患者のより近くに生じさせることができる。例えば、導管１４０のうちの幾つか又は全ては、電極を備えるのが良い。これら電極は、コントローラ１６から電気信号を受け取ることができ、それにより導管１４０内に低温プラズマの生成を可能にする。さらに別の実施形態では、着用式低温プラズマシステム１２は、ガス源１８のところ及び導管１４０内に低温プラズマを生じさせることができ又はガス源１８による低温プラズマ生成後に導管１４０内のガスのイオン化を増強させることができる。
【００２５】
図１１及び図１２は、着用式低温プラズマアプリケータ１４の孔１４４又は導管１４０の孔１６０の断面図である。図示のように、電極９０，９２は、着用式低温プラズマアプリケータ１４の層４２内又は孔１４４，１６０を包囲した導管１４０の材料内に埋め込まれている。作用を説明すると、電力供給電極９０は、コントローラ１６から電気信号を受け取る。十分な量の電荷が電極９０上にいったん蓄積すると、多周波数の高調波に富んだ電気信号が孔１４４，１６０内のガス中を横切って接地電極９２に伝わり、低温プラズマ９８を生じさせる。図１１に示されているように、層４２又は導管１４０は、複数（例えば、２個、３個、４個、５個、６個、７個、８個、９個、１０個又はそれ以上）の電極９０，９２を有しても良く、又は図１２に示されている２つだけを有しても良い。さらに、複数の電極９０，９２を用いる幾つかの実施形態では、電極９０，９２は、孔１４４，１６０の長さに沿って軸方向に（例えば、図９と同様）且つ／或いは円周方向に配置されるのが良い。さらに、電力供給電極９０及び接地電極９２を含むのではなく、幾つかの実施形態では、接地電極９２だけを有しても良い。作用を説明すると、これら接地電極９２は、低温プラズマを引き付けることができ、それにより低温プラズマが導管１４０を通って移動しているときの低温プラズマの散逸を減少させる。
【００２６】
図１３は、着用式低温プラズマアプリケータ１４の実施形態の断面側面図である。図１０に示されている着用式低温プラズマアプリケータ１４とは対照的に、図１３に示されている着用式低温プラズマアプリケータ１４は、ガス／低温プラズマを着用式低温プラズマアプリケータ１４に供給する外部導管１４０の本数を減少させることができる。図示のように、着用式低温プラズマアプリケータ１４の層４２は、主要な孔１８０を備えた流れ分配マニホルド１７８を有するのが良く、多数の二次的な孔１８２が主要な孔１８０に結合されている。作用を説明すると、主要な孔１８０は、導管１４０を通って移動しているガス源１８からのガス／低温プラズマを受け入れる。主要な孔１８０を通過した後、ガス／低温プラズマは、二次的な孔１８２に入り、これら二次的な孔は、次に、ガス／低温プラズマを広い領域にわたって案内すると共に分散させる。したがって、着用式低温プラズマシステム１２は、ガス源１８と着用式低温プラズマアプリケータ１４との間に設けられる流体導管１４０の本数を少なくすることができる。
【００２７】
図１４は、着用式低温プラズマアプリケータ１４の実施形態の断面側面図である。図１０に示されている着用式低温プラズマアプリケータ１４とは対照的に、図１３に示されている着用式低温プラズマアプリケータ１４は、ガス／低温プラズマを着用式低温プラズマアプリケータ１４に供給する外部導管１４０の本数を減少させることができる。図示のように、着用式低温プラズマアプリケータ１４は、層４２によって形成されたポケット２０２内に軟質及び／又は多孔性の材料２００（例えば、多孔性フォーム、多孔性布、多孔性プラスチック、多孔性ゲル）を有するのが良い。作用を説明すると、孔１４４は、導管１４０を通って移動しているガス源１８からのガス／低温プラズマを受け入れる。孔１４４を通過した後、ガス／低温プラズマは、多孔性フォーム２００に入り、この多孔性フォームは、治療中、低温プラズマ９８を広い領域にわたって分散させる。したがって、着用式低温プラズマシステム１２は、ガス源１８と着用式低温プラズマアプリケータ１４との間に設けられる流体導管１４０の本数を少なくすることができる。
【００２８】
図１５は、セグメント化組立体２１８を備えた着用式低温プラズマアプリケータ１４の実施形態の斜視図である。セグメント化組立体２１８は、着用式低温プラズマアプリケータ１４が標的サブストレート（例えば、脚部、頸部、胸部、足、関節、指、つま先等）を包囲することができるようにする多数の区分２２０（例えば、２個、３個、４個、５個、６個、７個、８個、９個、１０個又はそれ以上）を含むのが良い。これら区分２２０は、標的サブストレートに合わせた成形が行われる軟質材料（例えば、シリコーン、ラテックス、連続気泡フォーム、ガーゼ、ヒドロゲル、ポリオキシメチレン、ポリアミド、ポリテトラフルオロエチレン（ＰＴＦＥ）、アセタールホモポリマー、ポリエチレン（ＰＥ）、ポリプロピレン（ＰＰ）、ポリ塩化ビニル（ＰＶＣ）、エチレンビニルアセテート（ＥＶＡ）、プロピレン、コポリエステルエーテル、及びポリオレフィンフィルム）又は硬質／半硬質材料で形成できる。図示のように、着用式低温プラズマアプリケータ１４は、ヒンジ２２２により開閉する２つの区分２２０を有するのが良い。着用式低温プラズマアプリケータ１４を閉じ位置に保持するため、着用式低温プラズマアプリケータ１４は、１つ又は２つ以上の締結具２２４（例えば、面ファスナー、フックアンドパイル（hook-and-pile ）、ファスナー、スナップ嵌め等）を有するのが良い。患者１０にいったん取り付けられると、着用式低温プラズマアプリケータ１４は、図２〜図８を参照して説明した仕方と同様にスペーサ１２０相互間の空隙内の大気中ガスから低温プラズマを発生させることができ又は図１０〜図１４を参照して説明したように低温プラズマへの変換が可能な専用のガスを受け入れることができる。図示のように、スペーサ１２０は、区分２２０と標的サブストレートとの間の距離の変化を容易にするよう取り外し可能であるのが良い。例えば、着用式低温プラズマアプリケータ１４が誘電体バリヤ放電電極と患者との間の大気中ガスで低温プラズマを生じさせる実施形態では、スペーサ１２０は、電極及び標的サブストレートが低温プラズマを発生させるのに十分近くに位置するようにするために小型であるのが良い。専用ガスを用いる実施形態では、スペーサ１２０は、標的サブストレートの表面上における低温プラズマの広がりを容易にするよう大型であるのが良い。いずれの形態においても、着用式低温プラズマアプリケータ１４は、標的サブストレートの周囲全体周りの治療を可能にする。
【００２９】
図１６は、着用式低温プラズマアプリケータ１４に用いられる膨張（インフレート）可能なカフ２３０（例えば、スペーサ）の実施形態の斜視図である。図示のように、膨張可能カフ２３０は、リング２３４及び／又は複数の突出部２３６を膨張させる流体（例えば、液体又は気体）を受け入れる流体ポート２３２を有するのが良い。作用を説明すると、外部流体源は、流体を膨張可能カフ２３０中に圧送することができ、それによりリング２３４及び／又は突出部２３６を流体で満たすことができる。突出部２３６が膨張すると、これら突出部は、リング２３４を標的サブストレートから押し離す。このように、膨張可能カフ２３０は、着用式低温プラズマアプリケータ１４と患者１０との間に堅固な連結部を形成すると共に着用式低温プラズマアプリケータ１４と標的サブストレートとの間に正確な空隙を形成することができる。換言すると、膨張可能カフ２３０は、適正な間隔保持を可能にするようスペーサ１２０に取って代わることができ又はこれらを補完することができ、それと同時に、着用式低温プラズマアプリケータ１４をしっかりと位置決めすることができる。幾つかの実施形態では、突出部相互間にガス／プラズマが治療中に逃げ出ることができるようにする隙間２３７が設けられるのが良く、かくして治療部位の過剰加圧が阻止される。
【００３０】
図１７及び図１８は、着用式低温プラズマシステム１２の実施形態の側面図である。図示のように、図１７では、着用式低温プラズマアプリケータ１４は、患者の胴を覆うのに十分大きいのが良く、それにより広い領域に対する低温プラズマ治療が可能になる。例えば、着用式低温プラズマアプリケータ１４は、患者の相当広い部分の治療を可能にする取り外し可能なチャンバ又はシートであるのが良い。上述したように、着用式低温プラズマアプリケータ１４は、患者１０との間の大気を用いて低温プラズマを生じさせることができ又は低温プラズマの状態に形成されるガス源１８からの専用ガスを受け取ることができる。幾つかの実施形態では、低温プラズマアプリケータ１４は、図１８に示されているように低温プラズマ治療のために患者の胴全体を包囲したセグメント化エンクロージャ（例えば、クラムシェル）であるのが良い。
【００３１】
図１９は、患者の本体の大部分を包囲することができる低温プラズマシステム１２の側面図である。例えば、低温プラズマシステム１２は、患者を頸部から足までを入れるチャンバ２４０を構成する患者エンクロージャ２３８であるのが良い。幾つかの実施形態では、低温プラズマシステム１２は、患者の体を包囲する柔軟性の誘電体層４２を含むのが良く、それにより患者の体及び治療／創傷部位に隣接してプラズマの生成が可能になる。さらに別の実施形態では、導電性流体をチャンバ２４０中に圧送することができ、チャンバ２４０は、プラズマによる治療中、柔軟性誘電体層４２を患者及び治療／創傷部位に適合させる。作用を説明すると、患者は、低温プラズマ治療を受けるようエンクロージャ２３８内に横になり又は立つのが良い。幾つかの実施形態では、低温プラズマシステム１２は、ガス源１８からの専用作業ガスを導管１４０に通してエンクロージャ２３８中に圧送するのが良く、このエンクロージャ内において、ガスは、十分に励起されて低温プラズマの状態に変換される。別の実施形態では、ガス源１８は、ガスを低温プラズマに変換することができ、この低温プラズマは、次に、エンクロージャ２３８中に圧送される。さらに別の実施形態では、患者の体を包囲した柔軟性層４２は、導管１４０に結合して低温プラズマを受け取ると共に／或いはガス源１８からのガスにより低温プラズマを生じさせることができる。幾つかの実施形態では、柔軟性層４２は、大気中のガス及び／又は柔軟性層４２と患者の皮膚との間の作業ガスからの低温プラズマの生成を可能にする誘電体バリヤ層であるのが良い。このように、低温プラズマシステム１２は、実質的に患者１０全体の低温プラズマ治療を可能にすることができる。
【００３２】
図２０は、モジュール式の互換性のある区分２６０を有する着用式低温プラズマアプリケータ１４を含む着用式低温プラズマシステム１２の断面図である。モジュール式区分２６０は、図１〜図１９に示されている特徴の種々の組み合わせを含むのが良く、それにより、種々の低温プラズマ治療が実施可能になる。例えば、区分２６０は、生じる低温プラズマの種類（例えば、専用作業ガスを利用した低温プラズマ、大気中のガスから作られた低温プラズマ、又はこれらの組み合わせ）の面で互いに異なっていても良い。区分２６０は又、とりわけ、ガスを受け入れる孔１４４のサイズ及び個数、プラズマ発生領域５４のサイズ及び個数、及び電極９０，９２の配置状態の面で互いに異なっていても良い。したがって、着用式低温プラズマシステム１２は、着用式低温プラズマアプリケータ１４上のモジュール式区分２６０を変えることによって特定の患者のカスタマイズされた治療を可能にすることができる。
【００３３】
本発明について種々の改造例及び変形形態が想到できるが、特定の実施形態が例示として図面に示されていて、これら特定の実施形態について本明細書において詳細に説明した。しかしながら、理解されるべきこととして、本発明は、開示した特定の形態に限定されるものではない。むしろ、本発明は、次の特許請求の範囲に記載された本発明の精神及び範囲に含まれる全ての改造例、均等例、及び変形例を含むものである。
【図１】
2017522926.tif 000003
【図２】
2017522926.tif 000004
【図３】
2017522926.tif 000005
【図４】
2017522926.tif 000006
【図５】
2017522926.tif 000007
【図６】
2017522926.tif 000008
【図７】
2017522926.tif 000009
【図８】
2017522926.tif 000010
【図９】
2017522926.tif 000011
【図１０】
2017522926.tif 000012
【図１１】
2017522926.tif 000013
【図１２】
2017522926.tif 000014
【図１３】
2017522926.tif 000015
【図１４】
2017522926.tif 000016
【図１５】
2017522926.tif 000017
【図１６】
2017522926.tif 000018
【図１７】
2017522926.tif 000019
【図１８】
2017522926.tif 000020
【図１９】
2017522926.tif 000021
【図２０】
2017522926.tif 000022
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
システムであって、
着用式低温プラズマシステムを含み、前記着用式低温プラズマシステムは、
着用式低温プラズマアプリケータを含み、前記着用式低温プラズマアプリケータは、前記着用式低温プラズマデバイスを着用したユーザの表面に結合して低温プラズマを前記表面に送り出すよう構成され、前記着用式低温プラズマアプリケータは、多層柔軟性構造体を有し、前記多層柔軟性構造体は、
第１の互いに反対側の面を備えた第１の柔軟性層と、
第２の互いに反対側の面を備えた第２の柔軟性層とを含み、前記第２の柔軟性層は、前記第１の柔軟性層に沿って延び、前記第２の柔軟性層は、流体で満たされた層を含み、前記第１又は前記第２の柔軟性層のうちの少なくとも一方は、誘電体材料を含み、孔が前記第１又は前記第２の柔軟性層のうちの少なくとも一方の中へ少なくとも部分的に延びている、システム。
【請求項２】
前記着用式低温プラズマアプリケータに結合されたガス源を含み、前記ガス源は、イオン化されて前記低温プラズマを少なくとも１つの流路に通して前記着用式低温プラズマアプリケータに送り出すよう構成されている、請求項１記載のシステム。
【請求項３】
前記多層柔軟性構造体は、各々１つ又は２つ以上の電極と関連した１つ又は２つ以上の孔を有し、前記１つ又は２つ以上の電極は、前記１つ又は２つ以上の孔の各々をそれぞれ通過する流体の流れにより前記低温プラズマを発生させるよう構成されている、請求項１記載のシステム。
【請求項４】
前記多層柔軟性構造体は、前記表面の形状に合致するよう構成されている、請求項１記載のシステム。
【請求項５】
前記第１の柔軟性層は、少なくとも１つのプラズマ発生領域を有する、請求項１記載のシステム。
【請求項６】
前記流体で満たされた層は、導電性流体を保持している、請求項１記載のシステム。
【請求項７】
前記流体で満たされた層は、導電性粒子を含む流体を保持している、請求項１記載のシステム。
【請求項８】
前記第１の柔軟性層は、軟質の誘電体バリヤ材料内に設けられた電極を有する、請求項１記載のシステム。
【請求項９】
前記着用式低温プラズマアプリケータにより低温プラズマを形成する電気信号を生じさせるよう構成されたコントローラを含み、前記電気信号は、多周波電気信号を含む、請求項１記載のシステム。
【請求項１０】
システムであって、
着用式低温プラズマシステムを含み、前記着用式低温プラズマシステムは、
低温プラズマを発生させるよう構成された低温プラズマ発生器を含み、
前記低温プラズマを前記低温プラズマ発生器から受け取るよう構成された着用式低温プラズマアプリケータを含み、前記着用式低温プラズマアプリケータは、ユーザの取り付け可能な側に結合して前記低温プラズマを前記ユーザの取り付け可能な側に送り出すよう構成され、前記着用式低温プラズマアプリケータは、前記着用式低温プラズマアプリケータの形態を変化させるよう互いに選択的に結合するよう構成された複数のモジュール式互換性プラズマ適用区分を含み、
前記低温プラズマ発生器に結合されたコントローラを含み、前記コントローラは、前記低温プラズマ発生器により前記低温プラズマを形成する電気信号を生じさせるよう構成されている、システム。
【請求項１１】
前記着用式低温プラズマアプリケータは、多層柔軟性構造体を有し、前記多層柔軟性構造体は、
第１の互いに反対側の面を備えた第１の柔軟性層と、
第２の互いに反対側の面を備えた第２の柔軟性層とを含み、前記第２の柔軟性層は、前記第１の柔軟性層に沿って延び、前記第２の柔軟性層は、流体で満たされた層を含む、請求項１０記載のシステム。
【請求項１２】
前記流体で満たされた層は、導電性粒子を含む流体を保持している、請求項１１記載のシステム。
【請求項１３】
前記多層柔軟性構造体は、少なくとも１つの孔の周りに設けられた１つ又は２つ以上の電極を有し、前記１つ又は２つ以上の電極は、前記少なくとも１つの孔を通過するガスにより前記低温プラズマを発生させるよう構成されている、請求項１１記載のシステム。
【請求項１４】
前記電気信号は、多周波電気信号から成る、請求項１０記載のシステム。
【請求項１５】
前記低温プラズマ発生器は、流体源及び前記着用式低温プラズマアプリケータから見て上流側に設けられた１つ又は２つ以上の電極を有する、請求項１０記載のシステム。
【請求項１６】
前記流体源は、導管により前記着用式低温プラズマアプリケータに結合し、前記導管は、前記導管を通過する流体の流れにより前記低温プラズマを発生するよう構成された前記１つ又は２つ以上の電極を有する、請求項１５記載のシステム。
【請求項１７】
前記着用式低温プラズマアプリケータは、第１の部分及び第２の部分を有し、前記第１の部分及び前記第２の部分は、サブストレートを円周方向に包囲するよう構成されている、請求項１０記載のシステム。
【請求項１８】
方法であって、
着用式低温プラズマアプリケータの多層柔軟性構造体を表面に適合させるステップを含み、前記多層柔軟性構造体は、互いに上下に配置された第１及び第２の柔軟性層を含み、前記第１又は前記第２の柔軟性層のうちの少なくとも一方は、誘電体材料を含み、孔が前記第１又は前記第２の柔軟性層のうちの少なくとも一方の中に少なくとも部分的に延び、
コントローラにより電気信号を生じさせるステップを含み、
流体の流れを流体源から前記着用式低温プラズマアプリケータに流すステップを含み、
前記電気信号及び前記流体の流れを用いて低温プラズマを発生させるステップを含み、
前記低温プラズマを前記着用式低温プラズマアプリケータにより前記表面に流すステップを含む、方法。
【請求項１９】
前記低温プラズマを発生させる前記ステップは、前記流体源に結合された１本又は２本以上の流体通路に沿って又は該流体通路の上流側に前記低温プラズマを発生させるステップを含む、請求項１８記載のシステム。
【請求項２０】
前記着用式低温プラズマシステムは、前記ユーザの前記表面への前記低温プラズマの適用中、流体の流れを前記着用式低温プラズマアプリケータに供給するよう構成されている、請求項１記載のシステム。
【請求項２１】
前記着用式低温プラズマアプリケータは、前記着用式低温プラズマアプリケータの形態を変化させるよう互いに選択的に結合するよう構成された複数のモジュール式互換性プラズマ適用区分を含む、請求項１記載のシステム。
【請求項２２】
前記着用式低温プラズマアプリケータは、スリーブを有し、前記スリーブは、前記低温プラズマを前記スリーブ内で発生させるよう構成された１つ又は２つ以上の電極を有する、請求項１記載のシステム。
【請求項２３】
前記着用式低温プラズマアプリケータは、複数の同心円形電極を有する、請求項１記載のシステム。
【請求項２４】
前記着用式低温プラズマアプリケータは、複数の実質的に互いに平行な電極を有する、請求項１記載のシステム。
【請求項２５】
前記着用式低温プラズマアプリケータは、前記ユーザの一部分を受け入れて前記ユーザの前記一部分を前記低温プラズマで包囲するよう構成されたチャンバを包囲しているエンクロージャを有する、請求項１記載のシステム。
【請求項２６】
システムであって、
着用式低温プラズマシステムを含み、前記着用式低温プラズマシステムは、
着用式低温プラズマアプリケータを含み、前記着用式低温プラズマアプリケータは、前記着用式低温プラズマデバイスを着用したユーザの表面に結合して低温プラズマを前記表面に送り出すよう構成され、前記着用式低温プラズマアプリケータは、各々が１つ又は２つ以上の電極と関連した１つ又は２つ以上の孔を有し、前記１つ又は２つ以上の電極は、前記１つ又は２つ以上の孔のうちの対応する孔の各々をそれぞれ通過する流体の流れにより前記低温プラズマを発生させるよう構成されている、システム。
【請求項２７】
システムであって、
着用式低温プラズマシステムを含み、前記着用式低温プラズマシステムは、
着用式低温プラズマアプリケータを含み、前記着用式低温プラズマアプリケータは、前記着用式低温プラズマデバイスを着用したユーザの表面に結合して低温プラズマを前記表面に送り出すよう構成され、前記着用式低温プラズマアプリケータは、前記着用式低温プラズマアプリケータの形態を変化させるよう互いに選択的に結合するよう構成された複数のモジュール式互換性プラズマ適用区分を含み、前記着用式低温プラズマアプリケータは、誘電体材料を含む、システム。
【請求項２８】
システムであって、
着用式低温プラズマシステムを含み、前記着用式低温プラズマシステムは、
着用式低温プラズマアプリケータを含み、前記着用式低温プラズマアプリケータは、前記着用式低温プラズマデバイスを着用したユーザの表面に結合して低温プラズマを前記表面に送り出すよう構成され、前記着用式低温プラズマアプリケータは、多層柔軟性構造体を有し、前記多層柔軟性構造体は、
第１の互いに反対側の面を備えた第１の柔軟性層と、
第２の互いに反対側の面を備えた第２の柔軟性層とを含み、前記第２の柔軟性層は、前記第１の柔軟性層に沿って延び、前記第２の柔軟性層は、流体で満たされた層を含む、システム。
【請求項２９】
前記流体で満たされた層は、生理食塩水を含む、請求項２８記載のシステム。
【請求項３０】
前記第１又は前記第２の柔軟性層のうちの少なくとも一方は、誘電体材料を含む、請求項２８記載のシステム。
【国際調査報告】
2017522926.tif 000023
2017522926.tif 000024
2017522926.tif 000025
2017522926.tif 000026
2017522926.tif 000027